(57)【要約】【課題】画像データを保存してあるＩＣカードなどの半導体メモリなどを携帯するのをつい忘れてしまう場合があった。バッテリーなどに関しても同様である。【解決手段】デジタルカメラから画像データなどを取得し、取得したデータを送信することができるデジタルカメラデータ送信台を提案する。また、このデジタルカメラ送信台にさらにデジタルカメラのバッテリーを充電する機能を持たせたデジタルカメラデータ送信台を提案する。さらに、このデジタルカメラ送信台は、カメラのサイズに応じて台上に固定することを可能とした。そして、異なる種類のカメラに対しても画像データの送信、バッテリーの充電が行えるようした。【選択図】図１
2005057312.tif 000002
【特許請求の範囲】
【請求項１】
データ出力可能なデータ出力部を有するデジタルカメラから
データを取得して取得したデータを送信する
デジタルカメラデータ送信台であって、
デジタルカメラを載置可能なカメラ載置部と、
前記載置部に載置されたデジタルカメラの前記データ出力部から
データを取得するデータ取得部と、
前記取得部で取得したデータを送信するデータ送信部と
を有するデジタルカメラデータ送信台。
【請求項２】
前記載置部に載置され、バッテリー充電可能な充電入力部を有するデジタルカメラに対して前記受電入力部を介して前記バッテリーに充電可能な充電出力部をさらに有する請求項１記載のデジタルカメラデータ送信台。
【請求項３】
載置されるべきデジタルカメラを狭持する狭持部を有することを特徴とする請求項１または２に記載のデジタルカメラデータ送信台。
【請求項４】
前記載置部に載置されるデジタルカメラのサイズに応じて狭持するために、
前記狭持部はデジタルカメラ狭持方向に弾性に付勢されていることを特徴とする請求項３記載のデジタルカメラデータ送信台。
【請求項５】
前記載置部に載置されるデジタルカメラのサイズに応じて狭持するために、前記狭持部はスライドすることでデジタルカメラを狭持するスライド手段を有している請求項３に記載のデジタルカメラデータ送信台。
【請求項６】
非接触にデータ出力可能なデータ出力部を有するデジタルカメラから
データを取得して取得したデータを送信する
デジタルカメラデータ送信台であって、
デジタルカメラを載置可能なカメラ載置部と、
前記載置部に載置されたデジタルカメラの前記データ出力部から
データを取得するデータ取得部と、
前記取得部で取得したデータを送信するデータ送信部と
を有するデジタルカメラデータ送信台。
【請求項７】
前記載置部に載置され、非接触にバッテリー充電可能な充電入力部を有するデジタルカメラに対して非接触に前記受電入力部を介して前記バッテリーに充電可能な充電出力部をさらに有する請求項６記載のデジタルカメラデータ送信台。
【請求項８】
載置されるべきデジタルカメラを狭持する狭持部を有することを特徴とする請求項６または７に記載のデジタルカメラデータ送信台。
【請求項９】
前記載置部に載置されるデジタルカメラのサイズに応じて狭持するために、
前記狭持部はデジタルカメラ狭持方向に弾性に付勢されていることを特徴とする請求項８記載のデジタルカメラデータ送信台。
【請求項１０】
前記載置部に載置されるデジタルカメラのサイズに応じて狭持するために、前記狭持部はスライドすることでデジタルカメラを狭持するスライド手段を有している請求項８に記載のデジタルカメラデータ送信台。
【請求項１１】
バッテリーと、前記バッテリーに充電可能な充電入力部を有する電子機器を載置して、前記充電入力部を介して前記バッテリーに充電をするための充電装置であって、
電子機器を載置するための載置部と、
前記載置部に載置されるべき電子機器を狭持する狭持部と、
前記受電入力部を介して前記バッテリーに充電可能な充電出力部を有する充電装置。
【請求項１２】
前記載置部に載置される電子機器のサイズに応じて狭持するために、
前記狭持部は電子機器の狭持方向に弾性に付勢されていることを特徴とする請求項６記載の充電装置。
【請求項１３】
前記載置部に載置される電子機器のサイズに応じて狭持するために、
前記狭持部はスライドすることで電子機器を狭持するスライド手段を有している請求項６に記載の充電装置。
【請求項１４】
バッテリーと、非接触に前記バッテリーに充電可能な充電入力部を有する電子機器を載置して、前記充電入力部を介して前記バッテリーに充電をするための充電装置であって、
電子機器を載置するための載置部と、
前記載置部に載置されるべき電子機器を狭持する狭持部と、
非接触に前記受電入力部を介して前記バッテリーに充電可能な充電出力部を有する充電装置。
【請求項１５】
前記載置部に載置される電子機器のサイズに応じて狭持するために、
前記狭持部は電子機器の狭持方向に弾性に付勢されていることを特徴とする請求項１４記載の充電装置。
【請求項１６】
前記載置部に載置される電子機器のサイズに応じて狭持するために、
前記狭持部はスライドすることで電子機器を狭持するスライド手段を有している請求項１４に記載の充電装置。
【発明の詳細な説明】
【０００１】
【発明の属する技術分野】
この発明は、デジタルカメラに蓄積された画像データなどを通信などを利用して外部に蓄積するためのデジタルカメラのデータの送信のための台や、デジタルカメラなどの電子機器のバッテリーの充電のための台に関する。
【０００２】
【従来の技術】
従来、デジタルカメラで撮影された画像データなどは、デジタルカメラに内蔵されているＩＣカードなどの半導体メモリや、磁気ディスクなどの可搬型記憶構体に保存されていた。そして、これらＩＣカードや、磁気ディスクはデジタルカメラから取り外し可能であった。従って、外出先でＩＣカードや磁気ディスクなどのデータが満杯となって撮影した画像データの記憶が不可能となるとこれらのＩＣカードや磁気ディスクをデータが空の元と差し替えていた。
【０００３】
また、デジタルカメラなどには充電式のバッテリーや、乾電池などが内蔵される。外出先でこれらが、空になると、古いバッテリーを取出したり、新しく充電されたバッテリーを入れていた。また、古い乾電池を取出して、新しい乾電池を入れたりしている。
【０００４】
【発明が解決しようとする課題】
従来は、デジタルカメラで撮影された画像データを保存してあるＩＣカードなどの半導体メモリや、磁気ディスクなどはデータが満杯となると取り替えなければならないので外出先で撮影する場合にはデータがからの予備のＩＣカードや磁気ディスクを携帯する必要があった。しかし、携帯するのをつい忘れてしまう場合があった。バッテリーなどに関しても同様である。一方、外出先でこれらのＩＣカードや磁気ディスク、バッテリーなどを調達するのは困難であった。値段が比較的高価であり、デジタルカメラの機種毎に多くの種類のＩＣカードや、磁気ディスク、バッテリーなどがあるため全ての種類を取り揃えている店舗は少ないためである。
【０００５】
【課題を解決するための手段】
本発明では、これら課題を解決するためにデジタルカメラから画像データなどを取得し、取得したデータを送信することができるデジタルカメラデータ送信台を提案する。また、このデジタルカメラ送信台にさらにデジタルカメラのバッテリーを充電する機能を持たせたデジタルカメラデータ送信台を提案する。さらに、このデジタルカメラ送信台は、カメラのサイズに応じて台上に固定することを可能とした。そして、異なる種類のカメラに対しても画像データの送信、バッテリーの充電が行えるようした。
【０００６】
【発明の実施の形態】
＜＜実施形態１＞＞次に実施形態１について説明する。
【０００７】
実施形態１は本発明の基本的な実施形態であるデジタルカメラデータ送信台である。この発明の利用概念を示すのが図１である。この図は外出先でデジタルカメラを利用して写真撮影をしようとした際（同図（ａ））にデジタルカメラに付属している液晶の情報表示部分が「データ蓄積部が満杯で撮影できません。」との警告を発した場面（ｂ）を示している。本実施形態のデジタルカメラデータ送信台を利用してデジタルカメラのデータ蓄積部に保持されているデータを例えば自宅のパソコンのハードディスクドライブに送信すると（ｃ）、デジタルカメラのデータ蓄積部は空になり、撮影をすることが可能となる（ｄ）。従って、このデジタルカメラ用のＩＣカードのようなものや、磁気ディスクのようなものを予備として持ち歩かなくてもよい。データ蓄積部のデータをこのデジタルカメラデータ送信台を利用して容易に空にできるからである。
【０００８】
図２に示すのは、この実施形態の発明を利用するデジタルカメラ０２００の機能ブロックの一例を示す図である。ここでデジタルカメラ０２００は、静止画を撮影するものの他に動画を撮影可能なものも含む。また、デジタルカメラと携帯電話、コピー機、プリンター、パーソナルコンピュータ、ＰＤＡ、腕時計、望遠鏡、などの複数の機能を有する複合型の電子機器も含む趣旨である。
【０００９】
図２に示すように、このデジタルカメラ０２００は、レンズや撮像素子などを含む画像取得部０２０２、取得した画像データを蓄積するためのデータ蓄積部、０２０４データ蓄積部０２０４に蓄積されているデータを出力するデータ出力部０２０５を有する。その他、画像取得部０２０２で取得した画像データをデジタルカメラ０２００自体に表示するための液晶表示部０２０３や、撮影の際の年月日、その他の撮影データを取得する撮影データ取得部０２０１などを有する。このデータ出力部０２０５は、有線を利用してデータを外部に出力可能なものもあるし、無線でデータを外部に出力可能なものもある。無線を利用するものとは、例えば、携帯電話の充電の際に非接触で充電する方式や、ビデオのドラムに配置された磁気ヘッドが取得した信号をビデオデッキの画像処理回路に渡すための機構があるように、トランスなどの仕組みを利用してデータを出力するものである。
【００１０】
「データ蓄積部」は、画像取得部で取得した画像データや、撮影データ取得部で取得した撮影データなどを記憶しておくための部分である。半導体メモリ、磁気ディスク、ＤＶＤ、ＦＤ、ＣＤＲＷ、など各種の媒体を利用することができる。これは、一時的に記憶するものであってもよいし、短時間だけ記憶するものであってもよい。
【００１１】
図３は、実施形態１のデジタルカメラデータ送信台の機能ブロックの一例を示すものである。この図にあるように、このデジタルカメラデータ送信台０３０４は、カメラ載置部０３０５と、データ取得部０３０２と、データ送信部０３０３とからなる。「カメラ載置部」は、デジタルカメラ０３１０を載置可能である。「載置」とは、デジタルカメラ０３１０を載せて置くことを言う。ただし、本発明においては、さらに広義にデジタルカメラ０３１０をデジタルカメラデータ送信台０３０４に固定するための全ての部分を言う。従って、必ずしもデジタルカメラが上、載置部が下の関係にある必要はなく、デジタルカメラと載置部とがお互いに横の関係にあってもよいし、デジタルカメラが下、載置部が上の関係にあってもよい。また、載置する部分は、カメラの面のいずれの面であってもよい。もちろん複数の面にわたって載置するものでもよい。
【００１２】
「データ取得部」は、前記載置部に載置されたデジタルカメラの前記データ出力部からデータを取得する。データの取得はコネクターを利用して有線などの導電体にてデジタルカメラのデータ出力部とデータ取得部とを結ぶものであってもよいし、無線でデータを取得するものであってもよい。無線でデータを取得する場合とは、いわゆるトランス機構を利用して電磁気的にデータを渡す場合の他、光信号を利用してデータを渡す場合、音声を利用してデータを渡す場合、振動を利用してデータを渡す場合などが考えられる。
【００１３】
「データ送信部」は前記取得部で取得したデータを送信する。送信部は直接データを送信してもよいし、他の送信機器例えば、携帯電話を介して送信するような構成であってもよい。データの送信は、従って、携帯電話の公衆回線を利用したり、インターネット回線を利用したりできる。送信先は、例えばデータの蓄積を業として行うデータ蓄積センターのようなものであってもよいし、自宅のパーソナルコンピュータ、そのパーソナルコンピュータのハードディスクドライブなどであってもよい。また送信先が、画像データをプリントしてくれるプリントセンターなどであってもよい。いずれにしても、そのデジタルカメラで撮影した画像データを内容を壊すこと無く送信できればよい。データ送信先は一個所である必要はなく、複数箇所であってもよい。従って、通信のように特定の個所に送信するもののみならず、放送のように不特定の複数箇所に送信するものであってもよい。なお、送信するデータの内容は、静止画、動画、撮影データ（年月日などの日付、気温、気象条件、撮影者の属性データ）などの他に、音声、文字、などの信号を含むものであってもよい。
【００１４】
図４は、この実施形態のデジタルカメラデータ送信台０４００の他の例の機能ブロック図である。この図にあるように、デジタルカメラデータ送信台０４００は、データ取得部０４０１、データ送信部０４０４の他に、送信先取得部０４０２、データ保持部０４０３を有している。「送信先取得部」は、デジタルカメラデータを送信する先のアドレス情報などを取得する。送信先のアドレスとは、例えばインターネットのＩＰアドレスであり、また自宅のＰＣやデータ蓄積センター、プリントセンターなどにつなげるための電話番号である。取得は、このデジタルカメラ送信台に保持されているデータであっても良いし、外部から通信や、手入力などにより取得するものであってもよい。
【００１５】
「データ保持部」はデジタルカメラからデータ取得部が取得した画像データ、撮影データ、音声データ、などのデータを一時保持しておくためのものである。データ保持部の記憶容量をデジタルカメラのデータ蓄積部に比較して大きくしておくと便利である。デジタルカメラのデータ蓄積部が満杯になるたびにデジタルカメラ送信台から送信しなくても、デジタルカメラから取得したデータでデータ保持部が満杯になったときのみその溜まったデータを送信すればよいからである。従って、通信費を低コストとすることができる場合もある。
【００１６】
＜＜実施形態２＞＞次に実施形態２について説明する。
【００１７】
実施形態２は、実施形態１の発明を基本としてさらに、充電出力部を有するデジタルカメラデータ送信台である。図５は、この実施形態の機能ブロック図の一例を示すものである。この図にあるように、デジタルカメラがデータ出力可能なデータ出力部０５０２と、デジタルカメラを動作させるためのバッテリーへの充電をするための充電入力部０５０１とを有する。また、実施形態１と同様にこのデジタルカメラデータ送信台０５００は、カメラ載置部０５０６と、データ取得部０５０４と、データ送信部０５０５とを有する。この実施形態の特徴点は、前記カメラ載置部０５０６に載置されたバッテリー充電可能な充電入力部０５０１を有するデジタルカメラに対して前記受電入力部０５０１を介して前記バッテリーに充電可能な充電出力部０５０３をさらに有する点である。
【００１８】
デジタルカメラのような可搬型電子機器のもう一つの課題は、バッテリーによる長時間動作が困難であるために外出先などでバッテリーの交換などを行わなくてはならない点である。しかし、そのためにはバッテリーの予備を携帯しなくてはならず煩雑である。また、携帯する電子機器が複数ある場合には、それぞれにあうバッテリーを複数種類分携帯しなければならない点も煩雑であった。
【００１９】
そこで、本実施形態によるとこのデジタルカメラデータ送信台は、データの取得、送信のみならず、デジタルカメラのバッテリーを充電するための充電出力部をも有するので上記煩雑さを解消することができる。
【００２０】
図６に示すのは、本実施形態のさらに他の機能ブロックの一例である。この図に示すように、このデジタルカメラデータ送信台０６００は、充電出力部０６０３と、蓄電部０６０４と、データ取得部０６０５と、データ送信部０６０６とからなる。またこのデジタルカメラ送信台０６００を利用するデジタルカメラ０６１０としては、充電入力部０６０１と、データ出力部０６０２とを有する。この実施形態のデジタルカメラデータ送信台０６００では、充電出力部０６０３の他に蓄電部０６０４を有する点に特徴がある。「蓄電部」はデジタルカメラのバッテリーに充電すべき電気を蓄えておく部分でデジタルカメラのバッテリーに比較して大容量のものとするのが好ましい。そうすれば、デジタルカメラのバッテリーを小容量にして軽量化し、写真撮影時の扱いを容易にすることができ、一方、このデジタルカメラデータ送信台によりバッテリー切れの心配も少なくなる。この蓄電部へは、家庭内のコンセント差し込み口から電気を取得し蓄えておくことができるようにすればよい。
【００２１】
＜＜実施形態３＞＞次に、実施形態３について説明する。
【００２２】
実施形態３は、実施形態１、２のものを基本として、デジタルカメラを挟み保持する構造を有する点に特徴があるものである。
【００２３】
図７は、この実施形態のデジタルカメラデータ送信台の一例を示す図である。同図（ａ）は、横からみた図、同図（ｂ）は、斜視図である。この図に示すようにこの実施形態のデジタルカメラデータ送信台０７００は、デジタルカメラ０７１０を載置可能なカメラ載置部０７０１にデジタルカメラ０７１０を載置した状態でデジタルカメラをカメラ載置部上に固定するための狭持部０７０２、０７０３を有している。「狭持部」は、デジタルカメラを何らかの手段によりはさみこみ、カメラ載置部上にこれを固定するものであれば各種の形態が許容される。従って、デジタルカメラ０７１０を挟み込む一方は固定０７０３で、他方が可動０７０２でもよいし、両方が可動であってもよい。また、どのように挟むか挟み込む形式は問わない。デジタルカメラをカメラ載置部に固定する目的は、第一にデジタルカメラからデータを取得すること、第二はデジタルカメラに充電を行うことである。従って、この目的を達成することができる狭持方法であれば、各種のものが採用できる。また、「狭持部」は、「カメラ載置部」と必ずしも独立別体のものである必要はなく、一部または全部が共通のもであってもよいことは言うまでもない。デジタルカメラを挟み込むためにデジタルカメラに接触する部分は必ずしも剛体である必要はなく、弾性体であってもよい。また、デジタルカメラを挟み込むためにデジタルカメラに接触する部分の形状も問わない。図示される棒状、板状のものでよいし、球状、半球状はもちろん、紐状のもの、不定形のものであってもよい。不定形のものとは例えばジェル状のものである。ジェル状のものを利用することで各種のデジタルカメラの形状に対応して狭持が可能となるという利点がある。
【００２４】
図７（ａ）に示す、デジタルカメラデータ送信台０７００では、カメラ載置部０７０１がやや傾いて配置されている。従って、このカメラ載置部０７０１に載せられたデジタルカメラは自然とそのカメラ載置部０７０１の傾きに従って滑り、背面の狭持部の一部をなす背もたれ状の部分０７０３にぴったりとフィットする。そして、狭持部の他方の可動部分（０７０２）によって押さえられ、結果としてしっかりとカメラ載置部０７０１に固定される。
【００２５】
図７（ｂ）に示すように、この狭持部の他方の可動部分（０７０２）は、デジタルカメラ０７１０との接触部分が棒状であるので、デジタルカメラ０７１０とは線状に接触する。これは、デジタルカメラ０７１０を比較的広範囲に押さえるのでしっかりと固定できるというメリットがある。また、線状に接触するのでデジタルカメラが狭持部で押圧される方向でのみ観察すると点接触となり、複数の方向の力がかからないので安定して固定できることとなる。
【００２６】
＜＜実施形態４＞＞次に、実施形態４について説明する。
【００２７】
実施形態４は、実施形態３を基本として前記狭持部がデジタルカメラを狭持する方向に弾性に付勢されていることを特徴とする。
【００２８】
図８は、実施形態４で示したデジタルカメラデータ送信台０８００の狭持部０８０１の一部がコイルばね０８０２を利用して弾性にデジタルカメラ狭持方向（矢印）に付勢される様子を示す。
【００２９】
同図（ａ）にあるように、狭持部０８０１、０８０３の他方の可動部分０８０１がその根元部分で軸支されている。そして、その可動部分０８０１は、軸を利用して回動可能となっている。同図（ａ）の点線で示すのは、コイルばねを横方向から透視した状態である。同図（ｂ）では、そのコイルばねを取出して示す。この図にあるように、コイルばねの一端（Ａ）はデジタルカメラデータ送信台に固定され、他端（Ｂ）は、狭持部の可動部分に固定される。従って、このばねの弾力でもって狭持部０８０１、０８０３が弾性にデジタルカメラをカメラ載置部０８０４上に固定することができる。
【００３０】
なお、ここでは、弾性力をコイルばねによって実現したが、弾性力を実現する手段はコイルばねにかぎられず、各種のばね、例えば、板ばね、ぜんまいばね、空気ばね、弾性の反発力を構成する磁石、ゴム、など各種のものを利用できる。
【００３１】
＜＜実施形態５＞＞次に実施形態５について説明する。
【００３２】
実施形態５は、実施形態３のデジタルカメラデータ送信台を基本とし、さらに前記狭持部がスライド手段を有している点に特徴を有する。この実施形態のスライド手段により、前記狭持部がスライドすることでデジタルカメラの大きさに係わらずこれを狭持することができる。従って、このデジタルカメラデータ送信台は、一種類のデジタルカメラのみならず、複数種類のデジタルカメラのデータを送信する機器として利用可能となる。
【００３３】
図９（ａ）は、この実施形態のデジタルカメラデータ送信台０９００の一部断面図である。この図にあるように狭持部０９０１、０９０３の可動部分がデジタルカメラデータ送信台でスライドするようになっている。そして、スライドすることで、各種の大きさのデジタルカメラを狭持可能となる。このスライドは、例えば同図（ｂ）に示すコイルばねで弾性に付勢されていて、デジタルカメラを狭持部の一部をなす背もたれ状の部分に押し付けることができるようになっている。
【００３４】
このデジタルカメラデータ送信台０９０２は、各種の大きさのデジタルカメラに対応するが、その際のデータの取得や、充電の実施にはトランス構造を採用することが便利である。デジタルカメラの大きさが各種であると必ずしもデジタルカメラのデータ出力部とデジタルカメラデータ送信台のデータ取得部とをぴったりと一致させることが困難であるが、トランス構造を利用すると、必ずしもぴったりと両者の一が一致しなくてもデータの受渡や、充電が可能となる。即ち非接触でこれらのことを行うことができるというメリットがある。
【００３５】
この効果を概念的に示すのが図１０である。この図にあるようにデジタルカメラのデータを出力するコイルは比較的小さいのに対し、デジタルカメラデータ送信台のコイルは比較的大きいので、デジタルカメラのカメラ載置部上での固定位置が多少ばらついてもよい。なぜなら、デジタルカメラデータ送信台のコイルが大きいために、その中にデジタルカメラからの信号の磁束が入るからである。
【００３６】
＜＜実施形態６＞＞次に実施形態６について説明する。
【００３７】
実施形態６は、バッテリーと、前記バッテリーに充電可能な充電入力部を有する電子機器を載置して、前記充電入力部を介して前記バッテリーに充電をするための充電装置である。この充電装置１１００の基本的な構成は載置部１１０６と、狭持部１１０２、１１０３と、充電出力部１１０４とからなる。載置部１１０６は、電子機器を載置する。狭持部１１０２、１１０３は、前記載置部１１０６に載置されるべき電子機器１１０１を狭持する。充電出力部１１０４は、前記充電入力部を介して前記バッテリーに充電する。
【００３８】
図１１は、この充電装置の機能ブロックの一例を示す図である。この図にあるように、充電装置１１００は、載置部１１０６上に一点鎖線で示す電子機器１１０１を載置する。そして、電子機器１１０１の充電入力部に対して、充電出力部１１０４から電気を供給する。充電出力部１１０４は、家庭内のコンセントから電気を供給されてそれを電子機器の充電入力部に出力してもよいし、家庭内のコンセントからいったん充電装置に電気を蓄えて、その蓄えた電気を充電出力部から出力する構成としてもよい。
【００３９】
＜＜実施形態７＞＞次に実施形態７について説明する。
【００４０】
実施形態７は、前記載置部に載置される電子機器のサイズに応じて狭持するために、前記狭持部は電子機器の狭持方向に弾性に付勢されていることを特徴とする充電装置である。この実施形態の付勢の目的、方法は、実施形態４ですでに説明したものと同様であるので、繰り返さない。
【００４１】
図１２は、この実施形態の充電装置１２０１で充電するために載置部に電子機器１２０２を載置した状態を示す斜視図である。狭持部１２０３、１２０４は背もたれ状の部分１２０３と、他方の可動部分１２０４とからなっている。そして、可動部分は、充電装置１２０１の一部に軸支されていて、その軸を利用して回動可能となっている。また弾性力を発生する手段によって付勢されていて、電子機器の大きさに応じて載置部に載置し付勢力でもって固定可能となっている。
【００４２】
図１３は、この実施形態の充電装置１３０１に他の形態の電子機器１３０３を載置した状態を示すものである。例えば、図１２に示すものよりも大きい場合には、横置きなど配置を工夫することで載置部１３０４に固定可能となる。これは大きさに係わらず狭持部１３０２にて固定可能することができるためである。また、図示しないが、実施形態５と同様に狭持部がスライドすることで電子機器を狭持することができるようにしてもよい。
【００４３】
図１４は、充電装置１４００から電子機器１４０１への充電が非接触に行われる様子を示す部分図である。充電装置１４００と、載置部１４０２に配置された電子機器１４０１との間にはわずかながら隙間ｄがあるが、この両者には、それぞれトランスを構成するコイル１４０３、１４０４が備わっているので、この隙間を通じて充電を行うことができる。
【００４４】
図１５は、この充電装置１５００に電子機器１５０１を配置した様子を示す側面図である。この側面図に表れているように、この充電装置１５００は、挟持部１５０２、１５０４で電子機器１５０１を固定し、その電子機器１５０１からデータを取得し、そのデータをアンテナ１５０３を利用して送信できるようなものであってもよい。その場合の具体的な構成は、実施形態１に示すものと同様となる。
【００４５】
図１６は、この充電装置１６００にＩＣカードスロット１６０３が備えられている様子を示すものである。このＩＣカードスロット１６０３はＩＣカード１６０１を介して電子機器毎に充電や、データの取得をする際のドライバソフトウエアを読み込むためや、データの送信先の情報を取得するために利用される。また、送信するデータを暗号化するためのソフトウエアを読み込んだり、このＩＣカード１６０１自体に備えられているマイクロプロセッサを利用して暗号化することも可能である。またこの充電装置１６００には、ディスプレイ１６０２を備えておいて、充電に関する各種の情報を表示することも可能である。充電に関する各種の情報とは例えば、充電によって電子機器のバッテリーがどの程度満たされたかを示す情報や、送信しようとしている情報の内容を確認するための情報や、送信先を示す情報、送信先と接続している状態を示す情報などである。
【００４６】
【発明の効果】
この発明の各種実施形態に応じて以下のような効果がそれぞれある。まず、データをデジタルカメラデータ送信台や電子機器に用いられる充電装置によりデータなどを送信できるので、デジタルカメラで撮影された画像データや電子機器で生成されたデータなどを保存してあるＩＣカードなどの半導体メモリや、磁気ディスクなどはデータが外出先などで満杯となっても予備のＩＣカードや磁気ディスクを携帯する必要がなくなった。またバッテリーの予備を携帯するのをつい忘れてしまう場合もあるが、同様に煩雑さを解消することができる。デジタルカメラの機種毎に多くの種類のＩＣカードや、磁気ディスク、バッテリーなどがあるため全ての種類を取り揃えている店舗は少ないため外出先でこれらを手に入れることが困難である。しかし、この発明のデジタルカメラデータ送信台や、充電装置を利用すると各種の大きさのデジタルカメラや電子機器に対応可能であるので一台のデジタルカメラデータ送信台や、充電装置を持ち歩けば足りる。
【図面の簡単な説明】
【図１】本発明の概念を示す図
【図２】実施形態１の機能ブロックの一例を示す図
【図３】実施形態１の機能ブロックの一例を示す図
【図４】実施形態１の機能ブロックの一例を示す図
【図５】実施形態２の機能ブロックの一例を示す図
【図６】実施形態２の機能ブロックの一例を示す図
【図７】実施形態３を示す側面図（ａ）、斜視図（ｂ）
【図８】実施形態４を示す側面図（ａ）、実施形態４のコイルばねの斜視図（ｂ）
【図９】実施形態５を示す一部断面側面図（ａ）、実施形態５のコイルばねの斜視図（ｂ）
【図１０】実施形態５のトランス機構を示す概念図
【図１１】実施形態６の概念図
【図１２】実施形態７を示す斜視図
【図１３】実施形態７を示す斜視図
【図１４】実施形態７の非接触状態での充電の様子を示す部分側面図
【図１５】実施形態７の側面図
【図１６】実施形態７の斜視図
【符号の説明】
０３０２  データ取得部
０３０３  データ送信部
０３０４  デジタルカメラデータ送信台
０３０５  カメラ載置部
【図１】
2005057312.tif 000003
【図２】
2005057312.tif 000004
【図３】
2005057312.tif 000005
【図４】
2005057312.tif 000006
【図５】
2005057312.tif 000007
【図６】
2005057312.tif 000008
【図７】
2005057312.tif 000009
【図８】
2005057312.tif 000010
【図９】
2005057312.tif 000011
【図１０】
2005057312.tif 000012
【図１１】
2005057312.tif 000013
【図１２】
2005057312.tif 000014
【図１３】
2005057312.tif 000015
【図１４】
2005057312.tif 000016
【図１５】
2005057312.tif 000017
【図１６】
2005057312.tif 000018